(57)【要約】【課題】  異常発生時のメカニズムを的確に突き止めて故障を修理することができるようにする。【解決手段】  この発明の制御装置１は、機器１００を構成する負荷８の制御を行う制御装置であり、負荷８の制御を行う制御手段２と、その制御手段２からの制御情報、および機器１００に適宜配置されている各種センサ１１からの検出情報の少なくとも１つに基づいて負荷８が異常か否かの監視を行い監視信号を出力する異常状態監視手段９と、その監視信号に基づいて負荷の異常発生を認識する異常状態認識手段３と、その異常状態認識手段３が負荷８の異常発生を認識した時点での負荷８の動作状態情報を不揮発性記憶素子２０に記憶させる異常状態記憶手段５と、を備えることを特徴としている。【選択図】  図１
2006010094.tif 000002
【特許請求の範囲】
【請求項１】
機器を構成する負荷の制御を行う制御装置において、
上記負荷の制御を行う制御手段と、
上記制御手段からの制御情報、および機器に適宜配置されている各種センサからの検出情報の少なくとも１つに基づいて負荷が異常か否かの監視を行い監視信号を出力する異常状態監視手段と、
上記監視信号に基づいて負荷の異常発生を認識する異常状態認識手段と、
上記異常状態認識手段が負荷の異常発生を認識した時点での負荷の動作状態情報を不揮発性記憶素子に記憶させる異常状態記憶手段と、
を備えることを特徴とする制御装置。
【請求項２】
上記負荷の動作状態情報は異常発生時のシーケンスナンバーである、請求項１に記載の制御装置。
【請求項３】
上記負荷の動作状態情報は異常発生時の日時情報を含む、請求項１または２に記載の制御装置。
【請求項４】
上記負荷の動作状態情報は異常発生時の各種センサからの検出情報である、請求項１から３の何れか１項に記載の制御装置。
【請求項５】
上記制御手段からの制御情報、および機器に適宜配置されている各種センサからの検出情報、負荷の状態およびシーケンスナンバー等の動作関連情報を揮発性記憶素子の第１の記憶領域に時系列的に随時記憶させるとともに、第１の記憶領域に記憶されている情報のうち、異常発生時の所定時間前から異常発生までの異常発生関連情報を当該揮発性記憶素子の第２の記憶領域に移行し記憶させる情報記憶手段を備える、請求項１から４の何れか１項に記載の制御装置。
【請求項６】
上記負荷の動作状態情報を報知する、請求項１から５の何れか１項に記載の制御装置。
【請求項７】
上記揮発性記憶素子の第２の記憶領域に記憶した情報を報知する、請求項５まはた６に記載の制御装置。
【請求項８】
上記不揮発性記憶素子に記憶した異常状態情報をリセットするリセット手段を備える、請求項１から７の何れか１項に記載の制御装置。
【請求項９】
上記リセット手段によるリセットを専用のコントラーラを接続して、またはリモコン操作で行う、請求項８に記載の制御装置。
【発明の詳細な説明】
【技術分野】
【０００１】
本発明は、機器を構成する負荷の制御を行う制御装置に関するものである。
【背景技術】
【０００２】
給湯器等の機器に異常状態が発生した場合、その異常検知内容を不揮発性記憶素子に記憶しておき、メンテナンス時にその内容に基づき故障の修理を行うことは一般的である。
【０００３】
そして、不揮発性記憶素子に記憶される内容は、故障内容をいくつかのグループに分類して番号を付与したものであり、主にシステムのメンテナンス時に利用される。
【０００４】
しかし、そのメンテナンス時に故障内容を表す番号（エラー番号）を表示したとしても、故障箇所の特定ができかねる場合も多くあり、例えばある特定の動作状態にのみ異常が発生するとしても、その特定の動作状態についてまでは知ることはできず、異常発生時のメカニズムを解明することが困難となっていた。
【発明の開示】
【発明が解決しようとする課題】
【０００５】
この発明は上記に鑑み提案されたもので、異常発生時のメカニズムを的確に突き止めて故障を修理することができる制御装置を提供することを目的とする。
【課題を解決するための手段】
【０００６】
上記目的を達成するために、請求項１に記載の発明は、機器を構成する負荷の制御を行う制御装置において、上記負荷の制御を行う制御手段と、上記制御手段からの制御情報、および機器に適宜配置されている各種センサからの検出情報の少なくとも１つに基づいて負荷が異常か否かの監視を行い監視信号を出力する異常状態監視手段と、上記監視信号に基づいて負荷の異常発生を認識する異常状態認識手段と、上記異常状態認識手段が負荷の異常発生を認識した時点での負荷の動作状態情報を不揮発性記憶素子に記憶させる異常状態記憶手段と、を備えることを特徴としている。
【０００７】
また、請求項２に記載の発明は、上記した請求項１に記載の発明の構成に加えて、上記負荷の動作状態情報は異常発生時のシーケンスナンバーである、ことを特徴としている。
【０００８】
また、請求項３に記載の発明は、上記した請求項１または２に記載の発明の構成に加えて、上記負荷の動作状態情報は異常発生時の日時情報を含む、ことを特徴としている。
【０００９】
また、請求項４に記載の発明は、上記した請求項１から３の何れか１項に記載の発明の構成に加えて、上記負荷の動作状態情報は異常発生時の各種センサからの検出情報である、ことを特徴としている。
【００１０】
また、請求項５に記載の発明は、上記した請求項１から４の何れか１項に記載の発明の構成に加えて、上記制御手段からの制御情報、および機器に適宜配置されている各種センサからの検出情報、負荷の状態およびシーケンスナンバー等の動作関連情報を揮発性記憶素子の第１の記憶領域に時系列的に随時記憶させるとともに、第１の記憶領域に記憶されている情報のうち、異常発生時の所定時間前から異常発生までの異常発生関連情報を当該揮発性記憶素子の第２の記憶領域に移行し記憶させる情報記憶手段を備える、ことを特徴としている。
【００１１】
また、請求項６に記載の発明は、上記した請求項１から５の何れか１項に記載の発明の構成に加えて、上記負荷の動作状態情報を報知する、ことを特徴としている。
【００１２】
また、請求項７に記載の発明は、上記した請求項５または６に記載の発明の構成に加えて、上記揮発性記憶素子の第２の記憶領域に記憶した情報を報知する、ことを特徴としている。
【００１３】
また、請求項８に記載の発明は、上記した請求項１から７の何れか１項に記載の発明の構成に加えて、上記不揮発性記憶素子に記憶した異常状態情報をリセットするリセット手段を備える、ことを特徴としている。
【００１４】
また、請求項９に記載の発明は、上記した請求項８に記載の発明の構成に加えて、上記リセット手段によるリセットを専用のコントラーラを接続して、またはリモコン操作で行う、ことを特徴としている。
【発明の効果】
【００１５】
この発明の制御装置では、異常発生時に、故障内容をいくつかのグループに分類して付与した番号だけでなく、その異常発生時の負荷の動作状態をも不揮発性記憶素子に記憶させるようにしたので、使用者はその動作状態の情報から異常発生の原因をより一層詳細に的確に知ることができる。したがって、異常発生のメカニズムの解明、制御システムの改善及びメンテナンスを容易に行うことができるようになる。
【００１６】
また異常発生の数分前のすべてのセンサからのデータ、また負荷の状態及びシーケンスナンバー等の、負荷の動作に関連するデータを時系列的に揮発性記憶素子に記憶させるようにしたので、その情報から異常発生時のメカニズムの解明、制御システムの改善及びメンテナンスをより一層容易に行うことができる。
【発明を実施するための最良の形態】
【００１７】
以下にこの発明の実施の形態を図面に基づいて詳細に説明する。
【００１８】
図１はこの発明の制御装置の全体構成を示す図である。図において、この発明の制御装置１は、機器１００を構成する負荷８の制御を行う制御装置であり、負荷８の制御を行う制御手段２と、その制御手段２からの制御情報、および機器１００に適宜配置されている各種センサ１１からの検出情報の少なくとも１つに基づいて負荷８が異常か否かの監視を行い監視信号を出力する異常状態監視手段９と、その監視信号に基づいて負荷の異常発生を認識する異常状態認識手段３と、その異常状態認識手段３が負荷８の異常発生を認識した時点での負荷８の動作状態情報を不揮発性記憶素子２０に記憶させる異常状態記憶手段５と、を備えることを特徴としている。
【００１９】
また、この制御装置１は、情報記憶手段４を備えている。この情報記憶手段４は、制御手段２からの制御情報、および機器１００に適宜配置されている各種センサ１１からの検出情報、負荷の状態およびシーケンスナンバー等の動作関連情報を揮発性記憶素子６の第１の記憶領域６ａに時系列的に随時記憶させるとともに、第１の記憶領域６ａに記憶されている情報のうち、異常発生時の所定時間前から異常発生までの異常発生関連情報を当該揮発性記憶素子６の第２の記憶領域６ｂに移行し記憶させる。
【００２０】
ここで、制御手段２、異常状態認識手段３、情報記憶手段４、および異常状態記憶手段５は、ＣＰＵ、ＲＯＭ、ＲＡＭを中心に構成されたマイクロコンピュータ（マイコン）１０内の構築され、ＣＰＵがＲＯＭの制御プログラムに従って実行するソフトウェアの機能として構成されている。また揮発性記憶素子６はマイコン１０のＲＡＭに相当している。
【００２１】
上記の機器１００が、例えば給湯器であるとしてより具体的に説明すると、給湯器１００のマイコン１０は、負荷８の動作を制御し、給湯動作を行う。そして、異常状態監視手段９が、制御手段２（マイコン１０）からの制御信号と、センサ１１からの検出信号の少なくとも一方あるいは双方に基づいて、常時負荷８の動作状態を監視し、マイコン１０に制御状態を伝える。
【００２２】
マイコン１０（異常状態認識手段３）が、異常状態監視手段９からの情報を受けて、負荷８に異常が発生したと判断した場合には、マイコン１０は負荷８を停止させ、不揮発性記憶素子２０に異常発生時の負荷の動作状態、動作シーケンス、センサ状態、異常が発生した日時等のデータ、すなわち負荷８の異常発生を認識した時点での負荷８の動作状態データを記憶させる。
【００２３】
また、揮発性記憶素子６の第１の記憶領域６ａに異常発生の数分前からの、センサ１１からの検出データ、負荷の動作状態、シーケンスナンバー等の動作に関連するデータを記憶させる。そして、異常が発生したときは、そのデータのうち、異常発生時の所定時間前から異常発生までの異常発生関連データを当該揮発性記憶素子６の第２の記憶領域６ｂに移行し記憶させる。
【００２４】
そして、不揮発性記憶素子２０および揮発性記憶素子６の第２の記憶領域６ｂに記憶させたデータを、マイコン１０との間で無線通信が可能なリモコン７に設けた報知手段７１により使用者に通知する。この報知手段７１にはＬＥＤ表示など可視装置あるいはブザーなどの可聴装置などを使用する。
【００２５】
また、リモコン７にリセット手段７２を設け、不揮発性記憶素子２０に記憶したデータ（異常発生を認識した時点での負荷８の動作状態データ）をリセットできるようにする。
【００２６】
このように、この発明では、異常発生時に、故障内容をいくつかのグループに分類して付与した番号だけでなく、その異常発生時の負荷の動作状態をも不揮発性記憶素子２０に記憶させるようにしたので、使用者はその動作状態のデータから異常発生の原因をより一層詳細に的確に知ることができる。したがって、異常発生のメカニズムの解明、制御システムの改善及びメンテナンスを容易に行うことができるようになる。
【００２７】
また異常発生の数分前のすべてのセンサからのデータ、また負荷の状態及びシーケンスナンバー等の、負荷の動作に関連するデータを時系列的に揮発性記憶素子６に記憶させるようにしたので、その情報から異常発生時のメカニズムの解明、制御システムの改善及びメンテナンスをより一層容易に行うことができる。
【図面の簡単な説明】
【００２８】
【図１】この発明の制御装置の全体構成を示す図である。
【符号の説明】
【００２９】
１    制御装置
２    制御手段
３    異常状態認識手段
４    情報記憶手段
５    異常状態記憶手段
６    揮発性記憶素子
６ａ  第１の記憶領域
６ｂ  第２の記憶領域
７    リモコン
８    負荷
９    異常状態監視手段
１０    マイコン
１１    各種センサ
２０    不揮発性記憶素子
７１    報知手段
７２    リセット手段
１００    機器（給湯器）
【図１】
2006010094.tif 000003